(57)【要約】【課題】より効果的に二酸化炭素を吸収するような、麻酔システムで使用するためのチューブを提供する。【解決手段】麻酔システム１４で使用するためのチューブ２；１０であって、該チューブが、ほぼ円筒形のハウジング４を有している形式のものにおいて、二酸化炭素のための吸収材６；１２が、チューブ２；１０の横断面範囲の一部を占めるように、チューブ２；１０内に配置されている。【選択図】図１
2004174258.tif 000002
【特許請求の範囲】
【請求項１】
麻酔システム（１４）で使用するためのチューブ（２；１０）であって、該チューブ（２；１０）が、ほぼ円筒形のハウジング（４）を有している形式のものにおいて、
二酸化炭素のための吸収材（６；１２）が、チューブ（２；１０）の横断面範囲の一部を占めるように、チューブ（２；１０）内に配置されていることを特徴とする、麻酔システムで使用するためのチューブ。
【請求項２】
吸収材（６）が、ハウジング（４）の内面に面して配置されている、請求項１記載のチューブ。
【請求項３】
吸収材（６）が、ほぼ中空円筒体として成形されている、請求項２記載のチューブ。
【請求項４】
吸収材（６）が、ほぼ円筒体として成形されていて、ハウジング（４）の中央に同心的に懸吊されて配置されている、請求項１記載のチューブ。
【請求項５】
膜（８）が、吸収材（６）をチューブの内部空間との直接的な接触から分離するために配置されていて、前記膜（８）は二酸化炭素透過性である、請求項１から４までのいずれか１項記載のチューブ。
【請求項６】
麻酔システムのためのチューブシステム（１８）であって、該チューブシステム（１８）が、ガス麻酔剤吸着・脱着ユニット（２０）と、該ガス麻酔剤吸着・脱着ユニット（２０）の下流に配置された吸気枝（２２）とを有している形式のものにおいて、
請求項１から５までのいずれか１項記載のチューブ（２；１０）が、吸気枝（２２）内に配置されていることを特徴とする、麻酔システムのためのチューブシステム。
【請求項７】
麻酔システムであって、麻酔装置（１６）と、ガス麻酔剤吸着・脱着ユニット（２０）を備えたチューブシステム（１８）と、ガス麻酔剤吸着・脱着ユニット（２０）の下流に配置された吸気枝（２２）とを有している形式のものにおいて、
請求項１から５までのいずれか１項記載のチューブ（２；１０）が、吸気枝（２２）内に配置されていることを特徴とする麻酔システム。
【発明の詳細な説明】
【技術分野】
【０００１】
本発明は、麻酔システムで使用するためのチューブであって、該チューブが、ほぼ円筒形のハウジングを有している形式のものに関する。
【０００２】
さらに本発明は、麻酔システムのためのチューブシステムであって、該チューブシステムが、ガス麻酔剤吸着・脱着ユニットと、該ガス麻酔剤吸着・脱着ユニットの下流に配置された吸気枝とを有している形式のものに関する。
【０００３】
さらに本発明は、麻酔システムであって、麻酔装置と、ガス麻酔剤吸着・脱着ユニットを備えたチューブシステムと、ガス麻酔剤吸着・脱着ユニットの下流に配置された吸気枝とを有している形式のものに関する。
【背景技術】
【０００４】
米国特許第５４７１９７９号明細書および米国特許第６１５２１３３号明細書により公知の麻酔システムは、麻酔装置と接続されたチューブシステム内に配置された、ガス麻酔剤の吸着・脱着ユニットを有している。これにより、各患者のために必要とされる麻酔の量が著しく節約される。
【０００５】
しかしながら、このユニットは、その都度の呼吸によって吐き出されたガスで満たされる程度の容積を有している。この吐き出されたガスは二酸化炭素も含んでおり、この二酸化炭素も、その都度の吸気によって患者に戻されてしまう。
【０００６】
さらに、（ガス麻酔剤の吸着・脱着のための）このユニットで使用される材料の選択は、戻される二酸化炭素の量に影響する場合がある。何故ならば所定の材料は、麻酔剤から分離される二酸化炭素を吸着および脱着するからである。
【０００７】
従って記載した麻酔システムには、チューブシステムの吸気枝（ガス麻酔剤の吸着・脱着ユニットの下流）に二酸化炭素のための吸着ユニットが設けられている。
【０００８】
たとえこの吸着ユニットが、（全ての吐き出された二酸化炭素が吸収される）伝統的な麻酔サイクルシステムにおける吸収材と同じ体積の吸収剤を有する必要がないとしてもまだ、この吸着ユニットは、システムに影響を及ぼす程の体積を有している。
【０００９】
このような吸着ユニットの問題点は、全ての二酸化炭素を吸収することができる吸収材のために、なお所定の体積を占めなければならないことにある。そうでなければ、吸気の間のカプノグラムに測定スパイクが生じることがある（逆に言えば、体積は通常、患者が著しく影響されるほどのサイズではない）。
【００１０】
吸気枝における付加的な体積のさらなる問題点は、麻酔濃度の迅速な制御が複雑であることにある。
【特許文献１】米国特許第５４７１９７９号明細書
【特許文献２】米国特許第６１５２１３３号明細書
【発明の開示】
【発明が解決しようとする課題】
【００１１】
本発明の課題は、上述した問題点を解決する手段を提供することである。
【課題を解決するための手段】
【００１２】
この課題を解決するために本発明の構成では、二酸化炭素のための吸収材が、チューブの横断面範囲の一部を占めるように、チューブ内に配置されているようにした。
【発明の効果】
【００１３】
このように吸収材をチューブに組み込むことにより、流れるガスと吸収剤との間に大きな接触領域が得られ、同時に付加的な容積は最小である。吸収材は、横断面範囲の一部しか占めていないので、呼吸ガスのための妨げられない流路を提供するチューブの部分となる。流れ抵抗は、チューブを成形することにより最小に保つことができ、妨げられない流路は、呼吸ガスのためのその他の流路と同じサイズを有する。吸収材は、種々様々な方法でチューブ内に配置されてよい。
【００１４】
上記課題は、請求項６に記載の特徴を有したチューブシステムおよび請求項７に記載の特徴を有した麻酔システムによっても解決される。
【発明を実施するための最良の形態】
【００１５】
次ぎに図面につき本発明の実施例を詳しく説明する。
【００１６】
本発明によるチューブ２の第１実施例が図１に示されている。このチューブ２はハウジング４を有していて、このハウジング４は通常のチューブでは円筒状である。二酸化炭素のための吸収材６がハウジング４内に、ハウジング４の内壁に面して配置されている。膜８は吸収材６の内側に配置されている。膜８は二酸化炭素透過性である。ハウジング４と吸収材６と膜８との相対的な厚さは、図面では正確な比では示されていないことに注意されたい。
【００１７】
吸収材６は、チューブ２の横断面範囲の一部しか占めていないので、チューブ２の内部は平滑に形成されるので、吸収材６は、流れ抵抗を全く与えないか殆ど与えず、二酸化炭素の吸収性を損なうことはない。
【００１８】
パイプを通過する呼吸ガスにおける二酸化炭素は、膜８を通って拡散され、吸収材６に吸収される。延ばされたチューブ２により、二酸化炭素の吸収は、容器内に集められた同体積の吸収材によって可能であるよりも長い時間にわたって可能となる。
【００１９】
チューブ２は原則的には、麻酔システムのチューブシステムの全吸気枝を形成するほど長くてよい（チューブ２のさらなる部分は図３参照）。
【００２０】
吸収材６と膜８とは、第１実施例では円筒状であるが、これは重要ではない。吸収材６は、ハウジング４の内面の一部にわたってのみ配置されていてもよい。内面に沿って複数の吸収材が設けられていても良い。
【００２１】
本発明の第２実施例が、チューブ１０として図２に示されている。このチューブ１０は、前述の第１実施例と同様にハウジング４を有している。このハウジング４は前述の実施例と同様なので、同じ符号を付与する。円筒状の吸収材１２は、この場合、チューブ１０の流路の真ん中に、ステーまたは格子またはその他の手段を使用して適当な方法で懸吊されている。
【００２２】
流れるガスは、通常は、パイプの中央では最も速く、壁に沿って最も遅い速度特性を有している。従ってこのように配置することにより、吸収材１２により速く流入し、より直接的にガス中の二酸化炭素と接触できる。さらに、吸収材１２は渦流を生ぜしめ、この渦流はその旋回流において、ガス中の二酸化炭素と吸収材１２との接触部を増大させる。
【００２３】
吸収材１２も、チューブ１０の横断面範囲の一部しか占めていない。吸収材１２の周りの領域の貫流量は、チューブシステムの流路の他の部分（図３の下方参照）における貫流量と同じ大きさである。
【００２４】
この場合も、チューブ１０の流路の真ん中に相前後して複数の吸収材１２が設けられていても良い。
【００２５】
吸収材１２は（吸収材６と同様に）、どのような二酸化炭素吸収材料から形成されても良い。しかしながら、単位体積当たりの吸収容積ができるだけ高い材料を選択すると有利である。
【００２６】
両実施例を組み合わせることも可能である。即ち、吸収材はハウジングの中央と、内壁に沿った領域とに配置される。
【００２７】
本発明による麻酔システム１４は図３に概略的に示されている。麻酔システム１４は、麻酔装置１６と、本発明によるチューブシステム１８とを有している。
【００２８】
チューブシステム１８は、特に、ガス麻酔剤の吸着・脱着ユニット２０と、吸気枝２２と、患者接続部２４と、呼気枝２６とを有している。図１及び図２によれば、チューブ２，１０は、二酸化炭素を吸収するために吸気枝２２内に配置されている。特に、チューブ２，１０の領域を通るオープンフローは、その他のチューブシステム１８と、特にその他の吸気枝２２と一貫性があるように形成される。吸収材６，１２のような手段は、実質的に、チューブシステム１８の全流れ抵抗に全く影響しないか、僅かにしか影響しない。
【００２９】
チューブ２，１０を、全吸気枝２２を形成するように成形することもできる。この場合、吸収材６，１２（または複数の吸収材）は、場合によっては、チューブ２，１０の長さ全体にわたって配置されてもよい。
【００３０】
麻酔装置１６またはチューブシステム１８に関するさらなる詳細は、前記の米国特許第５４７１９７９号明細書および米国特許第６１５２１３３号明細書を参照されたい。
【図面の簡単な説明】
【００３１】
【図１】本発明によるチューブの第１実施例を概略的に示した図である
【図２】本発明によるチューブの第２実施例を概略的に示した図である
【図３】本発明による麻酔システムとチューブシステムの第１実施例を概略的に示した図である
【符号の説明】
【００３２】
２  チューブ、  ４  ハウジング、  ６  吸収材、  ８  膜、  １０  チューブ、  １２  吸収材、  １４  麻酔システム、  １６  麻酔装置、  １８  チューブシステム、  ２０  ガス麻酔剤吸着・脱着ユニット、  ２２  吸気枝、  ２４  患者接続部、  ２６  呼気枝
【図１】
2004174258.tif 000003
【図２】
2004174258.tif 000004
【図３】
2004174258.tif 000005